(57)【特許請求の範囲】
【請求項１】
被包装物を収容する筒状の胴部２を構成する側壁４の一部を破断可能線５に沿って破断することにより側壁４から遊離する遊離片８と、遊離片８が側壁４から遊離することにより遊離片８の形状に対応して側壁４に開口形成される取出口９とを備え、側壁４から遊離した遊離片８が、当該側壁４との連結状態を維持する基端部をヒンジとして外側方向に回動自在となる取出口付き包装箱において、
遊離片８を側壁４から遊離させたときに該側壁４から切離されることにより、遊離片８の回動方向に対して交差する方向に突出する凸部１０が遊離片８の先端部に形成され、
遊離片８の先端部を折り曲げ可能とすべく遊離片８の基端部と凸部１０との間に折目線７を備え、
折目線７を介して遊離片８の先端部を側壁４の内側方向に折り曲げたとき、凸部１０が取出口９の周縁部に係止されて、遊離片８による取出口９の閉塞状態が維持されることを特徴とする取出口付き包装箱。
【発明の詳細な説明】
【技術分野】
【０００１】
本発明は、側壁に設けられた取出口から被包装物品を取り出すことが可能となる取出口付き包装箱に関する。
【背景技術】
【０００２】
例えば、医療用小物等の個別包装された製品は、所定の数量を段ボール箱等の包装箱に収容して使用者に提供される。この種の包装箱においては、天面の蓋を開閉させることなく包装箱内から製品を取り出すことができるように、横面となる側壁に取出口を設けたものが知られている（下記特許文献１参照）。
【０００３】
取出口は、側壁に形成された破断可能線に沿って側壁を破断することにより、側壁の一部から遊離片が遊離して形成される。このため、取出口は遊離片に対応する形状に形成される。側壁から遊離した遊離片は、側壁の取出口に戻すことにより取出口を塞ぐ状態となる。
【０００４】
このとき、取出口から一部が露出するように側壁の内面側に板部材を固定しておくことで、側壁の取出口に戻した遊離片の一部を板部材の裏側に係止させることができ、遊離片による取出口の閉塞状態を維持することができる。
【先行技術文献】
【特許文献】
【０００５】
【特許文献１】実公昭４９−３８５１８号公報
【発明の概要】
【発明が解決しようとする課題】
【０００６】
しかし、取出口に戻した遊離片を係止するために側壁に前記板部材を設けると、包装箱のコストが増加する不都合がある。
【０００７】
しかも、側壁の板部材に係止された状態の遊離片は、その一部が取出口を介して側壁の内側に入り込んでしまい、再び取出口を開放しようとしたときに取出口から遊離片を引き出す作業が困難となる不都合がある。
【０００８】
上記の点に鑑み、本発明は、構造が簡単でありながら、遊離片による取出口の閉塞状態を容易に形成し維持することができ、しかも遊離片による取出口の開閉を極めて容易に行うことができる取出口付き包装箱を提供することを目的とする。
【課題を解決するための手段】
【０００９】
かかる目的を達成するために、本発明は、被包装物を収容する筒状の胴部を構成する側壁の一部を破断可能線に沿って破断することにより側壁から遊離する遊離片と、遊離片が側壁から遊離することにより遊離片の形状に対応して側壁に開口形成される取出口とを備え、側壁から遊離した遊離片が、当該側壁との連結状態を維持する基端部をヒンジとして外側方向に回動自在となる取出口付き包装箱において、遊離片を側壁から遊離させたときに該側壁から切離されることにより、遊離片の回動方向に対して交差する方向に突出する凸部が遊離片の先端部に形成され、遊離片の先端部を折り曲げ可能とすべく遊離片の基端部と凸部との間に折目線を備え、折目線を介して遊離片の先端部を側壁の内側方向に折り曲げたとき、凸部が取出口の周縁部に係止されて、遊離片による取出口の閉塞状態が維持されることを特徴とする。
【００１０】
本発明における前記凸部は、前記破断可能性によって前記遊離片と一体に形成されるので、他の部材が不要であり、構造簡単である。
【００１１】
また、側壁から遊離した遊離片を取出口に戻し、前記折目線により遊離片の先端部を側壁の内側に向かって折り曲げると、凸部が取出口の周縁部に係止され、側壁の外側方向への遊離片の回動が規制される。よって、遊離片による取出口の閉塞状態を容易に形成し維持することができる。
【００１２】
また、凸部が取出口の周縁部に係止されている状態から遊離片を回動させて取出口を開放する場合には、遊離片の先端部の折り曲げ度合いを変更して、凸部を、取出口の一部に形成されている凸部を切り抜いた部分に合わせるだけで、側壁の外側方向への遊離片の回動を容易に行うことができる。よって、遊離片による取出口の開閉を極めて容易に行うことができる。
【図面の簡単な説明】
【００１３】
【図１】本発明の取出口付き包装箱の実施形態を示す斜視図。
【図２】本実施形態の包装箱の取出口を示す説明図。
【図３】本実施形態の包装箱の取出口を開放させた状態を示す斜視図。
【図４】遊離片による取出口の閉塞状態を示す説明図。
【図５】取出口への凸部の係止状態を示す説明図。
【発明を実施するための形態】
【００１４】
本発明の一実施形態を図面に基づいて説明する。本実施形態の包装箱１は、厚紙或いは段ボール等により形成され、図１に示すように、四角筒状の胴部２と、胴部２の天面を閉塞する天蓋３と、胴部２の底面を閉塞する図示されない底蓋とにより構成されている。胴部２の４つの面となる側壁４の一部には、破断可能線５が形成されている。
【００１５】
破断可能線５は、図２に示すように、上方から下方に向かって次第に離間して延びる一対の第１破断部５ａと、各第１破断部５ａの上端に連続して形成された一対の第２破断部５ｂと、両第２破断部５ｂの上端を繋ぐ第３破断部５ｃとによって構成されている。
【００１６】
また、側壁４には、両第１破断部５ａの下端を互いに繋ぐようにして第１折目線６が形成されており、両第１破断部５ａの上端部の間には第２折目線７が形成されている。第２折目線７は、本発明の折目線に相当する。
【００１７】
各第２破断部５ｂは、両第１破断部５ａ間の中央を通る仮想直線ｘから離れる方向に膨らむ半円形状に形成されている。第３破断部５ｃは上記仮想直線ｘに沿って上方に膨らむ円弧状に形成されている。
【００１８】
第１破断部５ａと第２折目線７とは、夫々、上記仮想直線ｘに直交して延びている。
【００１９】
破断可能線５に沿って側壁４を破断すると、図３に示すように、側壁４から遊離片８が遊離して、遊離片８と同一形状に開口する取出口９が形成される。取出口９が形成されることにより、包装箱１の胴部２の内部に収容された図示しない被包装物を容易に取り出すことができる。
【００２０】
遊離片８は、その基端部に相当する両第１破断部５ａの下端の間に形成された第１折目線６をヒンジとして外側方向に回動自在となっている。これにより、遊離片８を、取出口９が開放された状態となる位置から、取出口９が閉塞された状態となる位置に戻すことが容易に行える。
【００２１】
側壁４から遊離した遊離片８には、第２破断部５ｂによって側壁４から切離された一対の凸部１０が設けられる。そして、遊離片８を取出口９に戻したとき、図４に示すように、第２折目線７を介して遊離片８の先端部を側壁４の内側方向に折り曲げると、図４及び図５に示すように、凸部１０が取出口９の周縁部に係止される。
【００２２】
即ち、凸部１０は第２破断部５ｂの切離により形成されるが、第２破断部５ｂは前述した通り、両第１破断部５ａ間の中央を通る仮想直線ｘから離れる方向に膨らむ半円形状に形成されている（図２参照）。これにより、凸部１０の突出方向は、遊離片８の回動方向に対して交差する方向となる。このため、第２折目線７を介して遊離片８の先端部を側壁４の内側方向に折り曲げた状態では、取出口９の横幅よりも両凸部１０を含めた遊離片８の先端部の横幅が大きい。従って、凸部１０が取出口９の周縁部に係止されて遊離片８が取出口９から脱離することが防止され、取出口９の閉塞状態が維持される。
【００２３】
そして、図４に示すように、凸部１０が取出口９の周縁部に係止しているときには、第２折目線７の上方に開口部分が残余するので、この開口部分に手指を差し込んで遊離片８を引っ張るだけで、容易に取出口９を開放することができる。
【００２４】
また、図１を参照して、破断可能線５の破断開始時に、第３破断部５ｃ、両第２破断部５ｂ、及び第２折目線７で包囲された遊離片８の先端部となる部分を手指で押圧すると、第３破断部５ｃ、両第２破断部５ｂに沿って側壁４が破断され、遊離片８の先端部が第２折目線７を介して胴部２の内方に折れ曲がる。これによって、遊離片８の先端部に対応する形状に取出口９の上部が開口し、この開口部分に手指を差し込み遊離片８の先端部を手指で引っ掛けることで、破断可能線５に沿った側壁４の破断（遊離片８の切離）作業を容易に行うことができる。
【００２５】
なお、図５に示すように、第２折目線７を折り曲げることで凸部１０を取出口９の周縁部に係止させるので、第２折目線７は、遊離片８の基端部と凸部１０との間に配設する必要があるが、本実施形態では、図２に示すように、両第１破断部５ａの上端部の間に第２折目線７を形成したことにより、第２折目線７が一対の第２破断部５ｂの下端の間に極めて近い位置に設けられている。これにより、図４に示すように、取出口９の内周縁と遊離片８の外周縁との間に形成される隙間を小さくして遊離片８による取出口９の閉塞状態を形成することができる。
【００２６】
また、本実施形態においては、２つの凸部１０を設けた遊離片８を示したが、凸部１０は１つでもよい。遊離片８に２つの凸部１０を設けることにより、取出口９の周縁部に係止し易くしているが、一方の凸部１０のみであっても、取出口９の周縁部に係止することが可能である。
【符号の説明】
【００２７】
１…包装箱、２…胴部、４…側壁、５…破断可能線、７…第２折目線（折目線）、８…遊離片、９…取出口、１０…凸部。
【図１】
0006541978.tif 000002
【図２】
0006541978.tif 000003
【図３】
0006541978.tif 000004
【図４】
0006541978.tif 000005
【図５】
0006541978.tif 000006